Podtech/llm-jp-corpus-v4-ja_patent huggingface dataset:
(57)【要約】【課題】  本発明は、ビジネスホテル等のベッドメイク時、つまり、ベッドの、マットレスを持ち上げ、布団やタオルケットやシーツを交換する時に、作業者である従業員が腰や関節を痛めることが、職業病になっており、それを容易にする機構を提供する。【解決手段】  ベッドとマットレスとの間に挟んで隙間を作るための用具であって、空気タンクに空気を送る空気ポンプから成る。空気タンクは浮き輪のような一定量の空気が注入されて満杯になった時点で膨張の限界に達する袋体であり、空気ポンプは空気タンクに繋がった管の末端に備わり、手、または、足踏みで作動する。こうして、ベッドからマットレスを安定して十センチ程度持ち上げ、資材の交換を容易にする、ベッドメイク時のマットレス持ち上げ器である。【選択図】図２
2019005519.tif 000002
【特許請求の範囲】
【請求項１】
空気タンクと、空気タンクに空気をおくる空気ポンプからなるものであり、空気タンクは浮き輪のような一定量の空気が注入され、満杯になった時点で膨張の限界に達する袋体であり、空気ポンプは空気タンクに繋がった管の末端に備わり、手、または、足踏みで作動し、こうして、ベッドからマットレスを安定して、十センチ程度持ち上げ、掛け布団やタオルケットやシーツ等資材の交換を容易にする、ベッドメイク時のマットレス持ち上げ器。
【請求項２】
請求項１の空気ポンプを、電動式ポンプで空気を注入することを特徴とするベッドメイク時のマットレス持ち上げ器。
【発明の詳細な説明】
【技術分野】
【０００１】  ビジネスホテル等のベッドメイキング（ベッドメイク）の際、掛け布団やタオルケットやシーツ等資材を交換するため、マットレスを持ち上げて、隙間を作るのに用いられる簡単器具に関するものである。
【背景技術】
【０００２】  従来、マットレスは、手作業で持ち上げている。上下に開いた持ち手から前方に向かって楔形に開いたＢｅｄ  Ｍａｄｅ  ＥＺ  という商品も市販されている。
【発明の概要】
【発明が解決しようとする課題】
【０００３】  マットレスを持ち上げる作業により、腰や関節に負担がかかり、離職する人が多い。Ｂｅｄ  Ｍａｄ  ＥＺ  は手軽であるが、ベッドを周回しながら作業箇所を移る度に持ち運んで差し込む手間があり面倒である。
【課題を解決するための手段】
【０００４】  ホテルの客室の、ベッドとマットレスとの空気タンクを間に敷き置いておき、掛け布団やタオルケットやシーツ等資材の交換等の際に、作業者の手が楽に出し入れできる隙間を作るための用具であって、空気タンクと空気を送る空気ポンプから成る。空気タンクは一定量の空気が注入されて満杯になった時点で膨張の限界に達する袋体であり、マットレスよりも幾分、幅狭のサイズで、膨張時の高さは、手が楽に出し入れできる数１０センチほどの高さである。そして、空気ポンプは空気タンクに繋がった管の末端に備わり、手または、足踏みで作動する。常時、マットレスの下に敷き置いてありベッドメイク時に十センチ程度持ち上げ、シーツ等資材の交換を容易にする。
以上を特徴とする、ベッドメイク時のマットレス持ち上げ器である。
【発明の効果】
【０００５】  本発明はホテル等のベッドメイク時に、作業者が、重いマットレスを持ち上げてしゃがみこんだり立ち上がったりを繰り返し、掛け布団、シーツ類等資材を交換する労働を軽減し、職業病である身体的負担を軽減する。重労働のベッドメイクが容易に、かつ、短時間で、少人数ででも可能となり、これにより、コスト軽減、作業人員確保、中高年の就労、ひいては、観光立国を目指す国策にも合う。
【図面の簡単な説明】
【０００６】
【図１】本発明がいつでも使えるようにマットレス下に敷かれた図
【図２】本発明を使用中の作業風景を示すイメージ斜視図
【発明を実施するための形態】
【０００７】（イ）本発明の空気タンクをマットレスの下にあらかじめ敷き入れておく。
（ロ）空気ポンプを使用し、空気タンクを膨張させて、マットレス全体を十センチ程度持ち上げる。
（ハ）ベッド本体と、膨張したマットレスとの間に生じた隙間により、敷き挟まれていた掛け布団やタオルケットやシーツ等の資材の交換を容易にする。
（二）作業後に空気タンクの空気が抜け、資材を交換したマットレスはベッド本体に、定型の形に収まる。
【符号の説明】
【０００８】  １、      ベッド本体
２、      マットレス
３、      掛け布団、タオルケット、シーツ類等資材
４、      空気タンク
５、      空気ポンプ
６、      本発明
７、      作業者
【図１】
2019005519.tif 000003
【図２】
2019005519.tif 000004
(57)【要約】【課題】従来のビンゴカードは、無作為に抽選した結果に該当する場所に印をつけたり穴をあけたりし、より早く縦列、横列、斜め列のいずれかが揃うことを競うことを目的としているが、ビンゴゲームが持つ娯楽性を活かし、印をつけたり穴を開けたりする特性をチェックリストとして捉える使用方法はなかった。【解決手段】縦横複数列の格子枠内に言葉、数字、文字、記号、絵図が記載されているビンゴカードで、啓蒙活動、啓発活動における伝えたい情報の中で出現するキーワードを手持ちのカードの当選結果とし、表面の言葉、数字、文字、記号、絵図が裏返ることによって、裏面の図書の一部を構成し、情報資料としての役目も持つビンゴカードである。【選択図】図３
2019005524.tif 000002
【特許請求の範囲】
【請求項１】
縦横複数列の格子状枠内に言葉、数字、文字、記号、絵図が記載された面と情報資料になる面を合わせ持つビンゴカードであり、司会者の進行や寸劇およびテレビ、ビデオなどの録画映像、インターネット、ラジオ、書面を以て行われる広告宣伝、啓蒙活動、啓発活動における情報伝達の中で出現した言葉、数字、文字、記号、絵図を通常のビンゴゲームにおける抽選結果として扱い、手持ちカードで一致する当選箇所を自らの判断で穴をあけた上で、途中結果として穴が空いている当選箇所の正誤確認を行い、カード使用者への情報の伝達の度合いを把握しながら、カード使用者へ気付き、認知、記憶、学習する機会を与え、ビンゴゲーム終了後には、当選箇所の言葉、数字、文字、記号、絵図がビンゴカードの反対面に折り曲げられていることで、反対面の不足している情報を補い、ビンゴゲームを行った際のテーマとストーリーが完成していることを再確認し、ビンゴゲーム後も適宜、復習することが出来る情報資料となることを特徴としたビンゴカードとそのゲームの進行方法。
【発明の詳細な説明】
【技術分野】
【０００１】本発明は、広告宣伝、啓蒙活動、啓発活動における情報の伝達と記憶を補助し、ビンゴゲーム終了後に、伝えたい情報のテーマに沿った情報資料になるビンゴカードに関するものである。
【技術背景】
【０００２】従来、ビンゴゲームは縦横同数列の格子枠に番号や記号（特許文献１参照）、図案（特許文献２参照）が記載され、進行役が数字を１つ無作為に抽選し、手持ちのカードの数字や記号、図案が抽選結果と一致する当選部分に印をつけたり穴をあけたりし、より早く縦列、横列、斜め列のいずれかが揃うことを競う内容が一般的であり、進行役がいなくとも事象を基にして行う、野球の打撃結果を基にしたビンゴカード（特許文献２参照）などもある
【先行技術文献】
【特許文献】
【０００３】
【特許文献１】特開２００４−２５５１４５号公報
【特許文献２】特開２０１３−１８４０４７号公報
【特許文献３】特開２０００−３３４０７８号公報
【発明の概要】
【発明が解決しようとする課題】
【０００４】ビンゴゲームが持つ娯楽性を活かし、ビンゴカードに印をつけたり穴を開けたりする特性を、チェックするという行為に置き換え、広告宣伝、啓蒙活動、啓発活動における伝えたい情報の中で出現するキーワードを従来のビンゴゲームの抽選結果として扱うことで、聴くこと、見ることに関心を持たさせ、当選結果に自ら気付き、思考することによって認知、記憶、学習することができ、ビンゴゲームの結果をもって復習できる情報資料となるビンゴカードを提供することにある。
【課題を解決するための手段】
【０００５】前記目的を達成するために本発明は、縦横複数列の格子枠内に言葉、数字、文字、記号、絵図が記載されており、広告宣伝、啓蒙活動、啓発活動における情報伝達の中で出現するキーワードを手持ちのカードの当選結果とし、折り曲げられた表面の言葉、数字、文字、記号、絵図が裏返ることによって、裏面の図書の一部を構成するビンゴカードであり、必ずしも縦列、横列、斜め列のいずれかが早く揃うことを競うビンゴカードではないことを特徴とする。
【発明の効果】
【０００６】情報を伝えたい、情報を共有したいという行為に関して応用が可能であり、従来のビンゴカードが持つ、印をつけたり穴を開けたりすることへの欲求と揃えることの目的意識を活用し、広告宣伝、啓蒙活動、啓発活動への関心を高め、重要なキーワード等をより認知させることができ、使用者に対して意識を向上させる効果をもたらす。
【図面の簡単な説明】
【０００７】
【図１】本発明で使用するビンゴカードの表面図
【図２】本発明で使用するビンゴカードの裏面図
【図３】本発明で使用するビンゴカード、表面の内容が裏面の一部となって一連の情報をなしている図
【発明を実施するための形態】
【０００８】本発明における実施形態は、司会者による進行や寸劇およびテレビ、ビデオなどの録画映像、インターネット、ラジオ、書面からの情報を受けることでビンゴゲームが達成される。
【０００９】以下、特殊詐欺対策をテーマにした図面に基づき本発明の好ましい実施形態を説明する。図１のビンゴカード１は、縦横複数列の格子枠内に特殊詐欺対策に関連する言葉、数字、文字、記号、絵図２が記載されており、それぞれの言葉、数字、文字、記号、絵図を囲うように逆Ｕ時形の切り込みやミシン目３が入れてあり、裏面（図２）には空白になった台詞４などテーマに沿った文章、図絵が記載される。
【００１０】図１の使用方法は、従来のビンゴゲームのように参加者に配布し使用するが、従来のビンゴゲームのような無作為な抽選によって当選を決めるのではなく、司会者による進行や寸劇およびテレビ、ビデオなどの録画映像、インターネット、ラジオ、文書において出現するキーワードを抽選結果とし、当選と思われる箇所に自ら気付き、判断し折り曲げる。
【００１１】司会者や寸劇およびテレビ、ビデオなどの録画映像、インターネット、ラジオ、文書における一通りの進行が終了した時点で、いくつ当選箇所が開けられているかを確認し、この時点では当選数のみの正解、不正解を確認し、カード使用者に自己の判断能力を認識させる。
【００１２】再度、司会者や寸劇およびテレビ、ビデオなどの録画映像、インターネット、ラジオ、書面への集中を促し、当選となるキーワードを強調しながらビンゴゲームを進行し、当選結果のキーワードを記憶することと当該箇所を開け、折り曲げるように促す。
【００１３】当選結果となる箇所を確認した上で、ビンゴカードを裏返してもらい（図３）、司会者による進行や寸劇およびテレビ、ビデオなどの録画映像、インターネット、ラジオ、書面と同じストーリーが、表面のキーワード５が折り返されていることで、裏面の不足していた情報を補われ完成していることを再確認する。
【００１４】ゲーム終了後のビンゴカードは、いつでも見返すことが出来る情報資料として活用ができ、掲示物しても活用できる。
【００１５】本発明は、特殊詐欺対策をテーマにした内容に限定されることなく、その他の防犯対策、防災対策、交通安全、観光マップや企業の広告宣伝、商業店舗での接客、セミナーなどの様々な啓蒙活動、啓発活動、ＰＲ活動において活用できる。
【符号の説明】
【００１６】１ビンゴカード
２数字、文字、記号、絵図
３逆Ｕ時形の切り込みやミシン目
４空白になった台詞
５表面からのキーワード
６表面が折り返されたことで穴が空いているところ
【図１】
2019005524.tif 000003
【図２】
2019005524.tif 000004
【図３】
2019005524.tif 000005
(57)【要約】      （修正有）【課題】アク抜きをしながら味噌などの調味料を手軽に味見できる味噌汁かき混ぜアク抜きスプーンを提供する。【解決手段】接合部１１を２箇所設け、吸い口１０を中央部の淵に施した椀汁受けカップ部１と、かき混ぜ網部２１とダクトと味噌汁溜め室２３を設けたスプーン部２０とフィルタ押さえリングを外側に設けたフィルタ上押さえ板２５とフィルタ下押さえ板でフィルタ２６を挟んだスプーン本体２と、柄３と、取り付け穴４０を施した取手４と、から構成される味噌汁かき混ぜアク抜きスプーン。【選択図】図１
2019005525.tif 000002
【特許請求の範囲】
【請求項１】
接合部で取り外しできる椀汁受けカップ部を設けた、半球形状のスプーン部に網状の同じ形のかき混ぜ網部を重ねた構造のスプーン部にダクトと、味噌汁溜め室を設け、外側にフィルタ押さえリングを設けた、フィルタ下押さえ板とフィルタ上押さえ板の間にフィルタを入れ、かき混ぜ網部の右側の面に取り出しキャップを設けたスプーン本体に柄と中心部に取り付け穴を施した取手を設けた味噌汁かき混ぜアク抜きスプーン。
【請求項２】
椀汁受けカップ部の淵の中央部１箇所に吸い口を設け、両端に接合部を２箇所設けた請求項１記載の味噌汁かき混ぜアク抜きスプーン。
【発明の詳細な説明】
【技術分野】
【０００１】  本発明は、定量の味噌汁を作る際のアク抜きと味見を同時に行う味噌汁かき混ぜアク抜きスプーンに関するものである。
【背景技術】
【０００２】  従来、味噌汁に入れる味噌などの調味料はスプーンで入れることは常識である。
なお、味噌をすくいかき混ぜする器具は既に実用化されている。また煮ている間に出るアクは、その都度おたまなどで掬い捨てることをしていた。
【発明の概要】
【発明が解決しようとする課題】
【０００３】  味噌汁を作る際に味噌を適量掬い、かき混ぜて作ることができるが、味の調整が難しい。汁の量による違いもあり、アク抜きをしないと料理は台無しになる。
また味見も同時に行うものはなかった。
本発明はこの問題を解決しようとするためになされたものである。
【課題を解決するための手段】
【０００４】  スプーン本体に半球形状のスプーン部と網状のかき混ぜ網部を作りスプーン部内にダクトと味噌汁溜め室を設け、フィルタ下押さえ板とフィルタとフィルタ上押さえ板でアク抜き部分を作り、椀汁受けカップ部を自在に装着する。さらにスプーン本体と柄と中心に取り付け穴を施した取手を設けた。
以上のような構成の味噌汁かき混ぜアク抜きスプーン。
【発明の効果】
【０００５】  従来の味噌汁を定量はかり味噌汁にかき混ぜる効果に加えて味見も兼ね同時にアク抜きもできる。味噌汁の味加減を知るうえで不可欠な受け皿も別に用意することなくコンパクトに収納できる。
【図面の簡単な説明】
【０００６】
【図１】本発明の全体の構成図
【図２】本発明のフィルタ押さえ板部の詳細図
【図３】本発明の使用後の形態を示す図
【発明を実施するための形態】
【０００７】（イ）椀型形状の椀汁受けカップ部（１）に吸い口（１０）を一箇所設け、吸い口（１０      ）と垂直方向の両端に２箇所、接合部（１１）を設ける。
（ロ）半球形状のスプーン部（２０）に網状でスプーン部（２０）の寸法に一致する。
（ハ）かき混ぜ網部（２１）を上面に設け、スプーン部（２０）の一部に穴をあけて汁す      くいダクト部（２２）と味噌汁溜め室（２３）を設け、フィルタ下押さえ板（２４      ）とフィルタ上押さえ板（２５）の中間にフィルタ（２６）を挿入する。これは味      噌汁などのアク抜きをするための濾過部分である。これをスプーン本体（２）に組      み込む。フィルタ上押さえ板（２５）とフィルタ下押さえ板（２４）の外側にフィ      ルタ押さえ板リング（４２）が補強のため設けてある。
（ニ）スプーン本体（２）に椀汁受けカップ部（１）を接合する、
（ホ）接合部（１１）は窪み凹凸を使うことや永久磁石などで即時に装着できるようにす      る。
（ヘ）スプーン本体（２）に柄（３）を設け、取り付け穴（４０）を中心に施した取手（      ４）をつけた構成である。
【０００８】  次に本発明の使い方を説明する。
まず椀汁受けカップ部（１）を外し、かき混ぜ網部（２１）に味噌収納箱から味噌をすくい味噌汁の具材に入れかき混ぜる。そのあと汁すくいダクト部（２２）から味噌汁溜め室（２３）からフィルタ下押さえ板（２４）とフィルタ（２６）とフィルタ上押さえ板（２５）を通過させ、スプーン本体（２）のついた取手（４）を逆向きにしてフィルタ上押さえ板（２５）から出てくる味噌汁を用意した椀汁受けカップ部（１）で受ける。同時にアク抜きもフィルタ（２６）によりできる。このフィルタ（２６）は交換ができる。
その後かき混ぜ網部（２０）に水道水で水を流して洗うことができる。
フィルタ（２６）とフィルタ上押さえ板（２５）を外し、フィルタ（２６）を交換する。取り出しキャップ（４１）を柄（３）と反対方向に曲げてフィルタ上押さえ板（２５）とフィルタ（２６）とフィルタ下押さえ板（２４）を外し、フィルタ（２６）を交換する。交換ができたら取り出しキャップ（４１）を元に戻す。
椀汁受けカップ部（１）を接合部（１１）で固定し、取手（４）の取り付け穴（４０）で棚にぶらさげる。
【符号の説明】
【０００９】１    椀汁受けカップ部
１０  吸い口
１１  接合部
２    スプーン本体
２０  スプーン部
２１  かき混ぜ網部
２２  汁すくいダクト部
２３  味噌汁溜め室
２４  フィルタ下押さえ板
２５  フィルタ上押さえ板
２６  フィルタ
３    柄
４    取手
４０  取り付け穴
４１  取出しキャップ
４２  フィルタ押さえ板リング
【図１】
2019005525.tif 000003
【図２】
2019005525.tif 000004
【図３】
2019005525.tif 000005
(57)【要約】【課題】  日本古来の着物は、着付けの技術が必要で一人では着られない、又着崩れや型崩れの為、洗濯が簡単に出来ない、収納もたたんで箪笥収納するなどの不便差があった。【解決手段】  そして、本発明は上記目的を達成するために従来の制作と異なり、反物による直線裁断制作と異なり洋裁の型紙技術を駆使し、立体裁断で分離された上身頃とスカートをお端折りであるペプラムと一緒に挟みウエスト位置で合体されたもので、上身頃とスカートは後ファスナー上下開きで着脱する。前衿は既に合わさって出来ており切り替えのペプラムに縫い込んである。後ろ衣紋も抜けている。襦袢衿は着物本体の衿に釦等で取り付ける。肩傾斜が付き両脇ゴムの効果で背中のシワは寄らない。着付けに紐は使用しない。【選択図】図１
2019011537.tif 000002
【特許請求の範囲】
【請求項１】
洋裁の型紙を使用して立体裁断された上下が、ペプラムを挟み込んでウエスト部分で合体されたもので、上身頃とスカートは後ろのファスナー開きにて着脱する。
上身頃は上から下のウエストまでファスナーを引き閉じ、スカートは下から上のウエスト迄引き閉じる。前衿は既に合わさってできており後衣紋も抜けている。襦袢衿を本体の衿に釦などで取り付けて着る。前衿の合わさりが出来ている衿先が縫い込まれているペプラムはお端折りとなる  肩傾斜と脇縫付くゴムの効果で背中にシワは寄らない。
着付けに紐は使用しない。制作内容は和の素材と生産工程に拘らず、洋服飾の素材を使用し洋裁技術を駆使する。
【発明の詳細な説明】
【技術分野】
【０００１】  本発明は、着付けの技術を不要とする洋服様ワンピース着物である。
【背景技術】
【０００２】  従来の着物は一人で着付けが出来ず時間も、費用も掛かり、着物の組成形状でアフターフォローでは収納や洗濯できないなどの便利性に欠けていた。
【先行技術文献】
【０００３】
【特許文献】
【特許文献】特願２０１２−１８５９９４号公報
【０００４】
【特許文献】特開２０１３−１４８７０号公報
【０００５】
【特許文献】特開２０１４−４３６５４号公報
【発明の概要】
【発明が解決しようとする課題】
【０００６】  日本古来の着物は着付けの技術が必要で、一人で着られない。又、型くずれや、着物の組成形状上、洗濯が簡単に出来ない、収納場所も、もたたんで箪笥にしまうなどの不便差があった【０００７】  本発明は、従来の着付けの技術部分と制作からデザイン、機能性も根本的に改善し、誰でも気軽に着用できるようにした。
【課題を解決する為の手段】
【０００８】  そして、本発明は、上記目的を達成するために従来の反物による直線裁断よる制作と異なり、洋服の型紙技術を使用して、立体裁断された上下がペプラムも挟み込んでウエスト部分で合体されたもので、上身頃とスカートは後ファスナー開きにて着脱する。前衿は既に合わさって出来ており、後ろ衣紋も抜けている。襦袢衿を本体の衿に釦などで取り付けて着る。前衿の合わさりが出来ている衿先が縫い込まれているペプラムはお端折りとなり、脇に付くゴムの効果で背中にしわが寄らない。
【０００９】  又、第二の課題解決は、制作内容は和の素材と生産工程に限らず、洋服飾の素材を使用し、洋裁技術を駆使する。
【発明の効果】
【００１０】  上述したように本発明の洋服様着物は、着付けの技術は不要である。デザイン、機能性に優れ身体に付けるだけで、日本古来の着物姿を美しく、簡単に表現でき時間の短縮化が出来る。洋服用着物なので洋服とのコーディネートも可能で収納も簡単な洋服様着物である。
【図面の簡単な説明】
【００１１】
【図１】  本考案のワンピース式着物を示す前身頃
【図２】  本考案のワンピース式着物を示す後身頃
【発明を実施するための形態】
【００１２】  以下、本発明の実施の形態を図１〜図２に基付いて説明する。
【００１３】  図に於いては、着物は上下合体しているワンピース式１の洋服様着物である。
【００１４】  上身頃１の衿３は、着物風の合わさって出来ており、後衣紋３ａは、既に抜けており、前の衿先６はウエスト切り替えペプラム７に縫い込まれている。ペプラム７はお端折りの役目をする。
【００１５】  立体裁断で肩傾斜４が付いており、更に両脇ベルトで背中のシワが伸ばされる。後脇からフック付のゴムベルト８と調節付きのゴムベルト８ａが付き前で止める。両脇みやつ口には帯揚げを通すベルト通し９が付く。
【００１６】  襦袢衿１１は本体衿３の釦と釦ホール２ａで取り外すことが出来、襦袢衿１１は洗濯できる。前中心にスナップ１２が付合わせ止める。
【００１７】  後ろ上見頃は中心１０に着脱用の開閉ファスナー付く。上から下に引き手１０ｂを引いて閉じる。
【００１８】  スカート１３の後ろ開きファスナー１０ａは下から上に引手１０ｂで引き上げ閉める。
【００１９】  スカート１３は脇にポケット１５が付く。
【００２０】  裾さばきよく右脇にはベンツ１４がつく。
【００２１】
【符号の説明】
【００２２】  １      ワンピース着物
２      襦袢衿取り付け釦
２ａ    襦袢衿取り付け釦穴
３      合わせ衿
３ａ    後ろ衣紋
４      肩傾斜接ぎ
５      両脇ゴム
６      前切り替えペプラム
６ａ    後切り替えペプラム
７      ペプラム
８      フック付ゴムベルト
８ａ    サイズ調節ゴムベルト
８ｂ    ゴムベルト止めステッチ
９      帯揚げの為の通史ベルト
１０    後ろ開き
１０ａ  後ろ開きファスナー
１０ｂ  後ファスナー引手
１０ｃ  スカート後開き
１１    襦袢衿
１２    襦袢衿合わせ止めスナップ等
１３    スカート
１４    ベンツ開き
１５    脇ポケット
【図１】
2019011537.tif 000003
【図２】
2019011537.tif 000004
【手続補正書】
【提出日】平成29年12月13日(2017.12.13)
【手続補正１】
【補正対象書類名】特許請求の範囲
【補正対象項目名】全文
【補正方法】変更
【補正の内容】
【特許請求の範囲】
【請求項１】
洋裁の型紙を使用して立体裁断分離された上下が、ペプラムを挟み込んでウエスト部分で合体され、上身頃とスカートは後ろのファスナー開きにて脱ぎ着するワンピース着物であって、前記上身頃は上から下のウエストまでファスナーを引き閉じ可能であり前記スカートは下から上のウエスト迄引き閉じ可能であり、前衿は既に合わさってできており、後衣紋も抜けており、襦袢衿を本体の衿に取り付けて着る着物であり、前記衿の合わさりができている衿先が縫い込まれているペプラムはお端折りとなっており、肩傾斜と脇縫付くゴムの効果で背中にシワは寄らず、着付に紐は不要であり、洋服飾の素材を使用し、洋裁技術により制作されたワンピース着物。
(57)【要約】【課題】コンクリート打設に於ける空気溜りを解消する為の型枠を提供する。【解決手段】空気溜りが出来ない様に型枠に空気抜き及び空気溜りの有無を確認する為の穴を開けておく。【選択図】図１
2019011662.tif 000002
【特許請求の範囲】
【請求項１】
空気溜りが出来ない様に穴の開いた型枠用板
【請求項２】
コンクリートのトロが流れ出ない請求項１の穴
【請求項３】
型枠の桟を固定する為の金具
【発明の詳細な説明】
【技術分野】
【０００１】      本発明は、コンクリート打設に於ける空気溜りを解消する為の型枠に関するものである。
【背景技術】
【０００２】      コンクリート工事に於いて、型枠内でコンクリートが流れて行かない程の鉄筋が有るため、特に窓部の下等に空気溜りが出来てしまう事が多い。【０００３】      空気溜りが出来ない様に木槌で叩いて確認するが、完全に確認する事は出来ない。【０００４】      柱や壁等の打設に於いてはスラブ等上部から高周波バイブレーター等によりコンクリートを流動させて空気溜りが出来ない様にしているが完全に無くす事は出来ていない。【０００５】      壁バイブレーターを使用する事によって空気溜りが出来ない様にするが、それでも完全に空気を抜く事は出来ていない。
【発明の概要】
【発明が解決しようとする課題】
【０００６】      コンクリート打設に於いて、コンクリート内に空気溜りが出来ない様にする必要が有る。
【課題を解決するための手段】
【０００７】      空気溜りが出来ない様に型枠に空気抜きの穴を付けておく。【０００８】      空気溜りの有無を確認する為の穴を開けておく。
【発明の効果】
【０００９】      空気溜りが確認された場合には木槌や壁バイブレーター等によって空気穴から空気を出す事が出来る。
【図面の簡単な説明】
【００１０】
【図１】空気溜りが出来ない様に穴の開いた型枠用板
【図２】（ａ）図１の詳細図（ｂ）断面図
【図３】（ａ）図１の板の壁用型枠立面図（ｂ）型枠繋ぎ金具正面図（ｃ）型枠繋ぎ金具側面図
【図４】（ａ）図３（ａ）型枠上部押え部材（ｂ）図３（ａ）断面図
【図５】（ａ）円柱型枠平面図（ｂ）円柱型枠繋ぎ部立面詳細図（ｃ）角柱型枠平面図（ｄ）角柱型枠立面詳細図
【符号の説明】
【００１１】１      空気溜りが出来ない様に穴の開いた型枠用板
１ａ    空気溜りが出来ない様に穴の開いた円柱型枠用板
１ｂ    空気溜りが出来ない様に穴の開いた角柱型枠用板
２      空気溜りが出来ない為の穴
３      コンクリートのトロが流れ出ない穴
４ａ    型枠繋ぎ桟押え金具
４ｂ    型枠繋ぎ差込金具
５      型枠縦桟
５ａ    角柱型枠用縦桟
６      型枠横桟
６ａ    円柱型枠用横桟
６ｂ    角柱型枠用横桟
７      型枠上部押え嵩上げ部材
８      型枠開き防止上部押え金具
９      ７部材と６横桟固定螺子
１０    ８部材と７部材固定螺子
１１ａ  円柱型枠押えボルト・ナット
１１ｂ  角柱型枠押えボルト・ナット
１２    円柱型枠合わせ金具
【図１】
2019011662.tif 000003
【図２】
2019011662.tif 000004
【図３】
2019011662.tif 000005
【図４】
2019011662.tif 000006
【図５】
2019011662.tif 000007